(57)【要約】      （修正有）【課題】使用開始時はもちろんのこと、使用中であっても、発光色の変更操作を容易に行うことができるペンライト装置を提供する。【解決手段】開示するペンライト装置１は、発光する円筒形状のライト部２と、当該ペンライト装置の使用者が握る部位である把持部４と、ライト部において発光する色を制御する制御部と、把持部の上部位置に配置され、ライト部における発光色を一の色から他の色へ変化させる指示を制御部に伝達する色変更スイッチ部８と、を有することを特徴とする。【選択図】図１
0003191829.tif 000002
【実用新案登録請求の範囲】
【請求項１】
ペンライト装置において、
発光する円筒形状のライト部と、
当該ペンライト装置の使用者が握る部位である把持部と、
前記ライト部において発光する色を制御する制御部と、
前記把持部の上部位置に配置され、前記ライト部における発光色を一の色から他の色へ変化させる指示を前記制御部に伝達する色変更スイッチ部と、を有することを特徴とするペンライト装置。
【請求項２】
前記色変更スイッチ部が、前記発光色が前記一の色であるとき、一の方向へ操作されることによって、前記発光色を第１の色へ変化させる指示を前記制御部に伝達し、他の方向へ操作されることによって、前記発光色を第２の色へ変化させる指示を前記制御部に伝達することを特徴とする請求項１に記載のペンライト装置。
【請求項３】
前記発光色が前記一の色であるとき、
前記色変更スイッチ部が、一の方向へｎ回（ｎは自然数である。）操作された後、前記一の方向と逆の方向へｎ回操作されることによって、前記発光色を前記一の色とする指示を前記制御部へ伝達することを特徴とする請求項１又は２に記載のペンライト装置。
【請求項４】
前記色変更スイッチ部の設置位置が、前記使用者が前記ライト部を上にして前記把持部を握ったときの親指の高さ付近であることを特徴とする請求項１乃至３の何れか一に記載のペンライト装置。
【考案の詳細な説明】
【技術分野】
【０００１】
棒状の照明器具であるペンライト装置の技術に関する。
【背景技術】
【０００２】
ペンライト装置とは、棒状の照明器具であって、光を用いて演出効果を高めるために使用されることが多い器具であり、例えば、コンサート会場等の暗い空間において、点灯させた状態で振り動かし、会場を盛り上げるために使用される。
【０００３】
このようにペンライト装置は、使用者が手に持って使用し、また、振り動かして使用する機会が多いため、小型、かつ、軽量である必要があり、従来研究開発が盛んに行われている。
例えば特許文献１では、小型、かつ、軽量のペンライト装置を実現するために、シンプルな構成としたペンライト装置が開示されている。
【先行技術文献】
【特許文献】
【０００４】
【特許文献１】特開２０１３−２４７１０８号公報
【考案の概要】
【考案が解決しようとする課題】
【０００５】
しかし、上記従来技術では、操作スイッチが装置の下端部に設置されているため、使用中の操作が難しいという問題点があった。
【０００６】
そこで本考案では、使用開始時はもちろんのこと、使用中であっても、発光色の変更操作を容易に行うことができるペンライト装置を提供することを目的とする。
【課題を解決するための手段】
【０００７】
開示するペンライト装置の一形態は、発光する円筒形状のライト部と、当該ペンライト装置の使用者が握る部位である把持部と、前記ライト部において発光する色を制御する制御部と、前記把持部の上部位置に配置され、前記ライト部における発光色を一の色から他の色へ変化させる指示を前記制御部に伝達する色変更スイッチ部と、を有することを特徴とする。
【０００８】
また、開示するペンライト装置の一形態は、上記構成に加え、前記色変更スイッチ部が、前記発光色が前記一の色であるとき、一の方向へ操作されることによって、前記発光色を第１の色へ変化させる指示を前記制御部に伝達し、他の方向へ操作されることによって、前記発光色を第２の色へ変化させる指示を前記制御部に伝達することを特徴とする。
【０００９】
また、開示するペンライト装置の一形態は、上記構成に加え、前記発光色が前記一の色であるとき、前記色変更スイッチ部が、一の方向へｎ回（ｎは自然数である。）操作された後、前記一の方向と逆の方向へｎ回操作されることによって、前記発光色を前記一の色とする指示を前記制御部へ伝達することを特徴とする。
【００１０】
また、開示するペンライト装置の一形態は、上記構成に加え、前記色変更スイッチ部の設置位置が、前記使用者が前記ライト部を上にして前記把持部を握ったときの親指の高さ付近であることを特徴とする。
【考案の効果】
【００１１】
開示するペンライト装置は、使用開始時はもちろんのこと、使用中であっても、発光色の変更操作を容易に行うことができる。
【図面の簡単な説明】
【００１２】
【図１】本実施の形態に係るペンライト装置の正面図である。
【図２】本実施の形態に係るペンライト装置の背面図である。
【図３】本実施の形態に係るペンライト装置の右側面図である。
【図４】本実施の形態に係るペンライト装置の左側面図である。
【考案を実施するための形態】
【００１３】
図面を参照しながら、本考案を実施するための形態について説明する。
（本実施の形態に係るペンライト装置の構造）
【００１４】
図１乃至４を用いて、本実施の形態に係るペンライト装置１の構造について説明する。図１乃至４はそれぞれ、ペンライト装置１の正面図、背面図、両側面図である。
図１乃至４で示すように、ペンライト装置１は、ライト部２、把持部４、制御部６、色変更スイッチ部８を有する。
【００１５】
ライト部２は、円筒形状を成す部位であり、内部に配置される発光体１０を発光させ、外部から視認可能な光を発する部位である。ライト部２が発する光の色及び色のバリエーションは限定されず、また、発光する色は一色一様に限らず、グラデーションなど特定のパターンであっても良い。
【００１６】
把持部４は、ペンライト装置１の使用者１６が掌で握る部位であり、握り易い形状であれば、特に形状は限定しない。把持部４は、ライト部２の下部に配置される。
【００１７】
色変更スイッチ部８は、把持部４の上方位置に配置され、より具体的には、使用者１６が把持部４を握ったとき、ちょうど親指の高さとなるような位置に配置される。このような位置に色変更スイッチ部８を配置することによって、ペンライト装置１は、使用中であっても、装置１を持ち替えたり、操作つまみの位置を確認したりすることなく、色変更スイッチ部８の操作を行うことができる。
【００１８】
色変更スイッチ部８は、上下方向や左右方向に、つまり、親指を使って操作つまみを相反する方向に動かすことができる構成である。なお、以下の説明においては、色変更スイッチ部８は、左（把持部４の左回り）方向１２と右（把持部４の右回り）方向１４とに操作つまみを動かすことができる仕様のものについて説明するが、「左右」を「上下」と置き換えて考えても何ら差支えない。
【００１９】
制御部６は、ライト部２において発光させる色を制御する部位である。制御部６は、色変更スイッチ部８から伝達される指示に従い、ライト部２内部に配置される発光体１０が発する色を制御する。
【００２０】
色変更スイッチ部８を左方向１２又は右方向１４に操作すると、発光体１０の発する色が変化する。そのとき、左方向１２に操作した場合の発光体１０の発光色と、右方向１４に操作した場合の発光体１０の発光色とは異なる。例えば、操作前の発光体１０が「赤」を発している場合、左方向１２に操作したとき発光体１０は「青」を発し、右方向１４に操作したとき発光体１０は「黄」を発する。
【００２１】
また、色変更スイッチ部８を左方向１２又は右方向１４の同一方向にｎ回操作した後、その操作方向とは逆の方向へｎ回操作すると、発光体１０の発する色は、操作の前後で同じ色となる（つまり、操作前の色に戻る）。「ｎ」は自然数とする。例えば、操作前の発光体１０が「赤」を発している場合、左方向１２に３回操作した後、右方向１４に３回操作した場合、発光体１０は操作前と同じ「赤」を発している。このような構成とすることによって、ペンライト装置１は、ライト部２が発する色を希望の色に素早く変更することができる。
【００２２】
以上、本考案の実施の形態について詳述したが、本考案は係る特定の実施の形態に限定されるものではなく、実用新案登録請求の範囲に記載された本考案の要旨の範囲において、種々の変形・変更が可能である。
【符号の説明】
【００２３】
１    ペンライト装置
２    ライト部
４    把持部
６    制御部
８    色変更スイッチ部
１０  発光体
１２  一の方向（色変更スイッチ部８の操作方向）
１４  他の方向（色変更スイッチ部８の操作方向）
１６  ペンライト装置１の使用者
【図１】
0003191829.tif 000003
【図２】
0003191829.tif 000004
【図３】
0003191829.tif 000005
【図４】
0003191829.tif 000006